(57)【特許請求の範囲】
【請求項１】
海底の地盤に複数の基礎杭を設置するために用いる基礎杭用テンプレートであって、
基礎杭をあらかじめ設定した基礎杭設置位置に案内するガイド形状部が形成された複数のガイド部と、
平面視したときに、複数の前記ガイド部の相対位置を前記基礎杭設置位置と対応させて保持するテンプレート本体と、
を備え、
前記ガイド部は、
前記テンプレート本体に対して着脱可能に構成され、
前記テンプレート本体は、
前記基礎杭設置位置と対応して配置され前記ガイド部を装着するガイド装着部が形成された複数のガイドホルダ部と、
複数の前記ガイドホルダ部を保持する連結部材と、
を備えている
ことを特徴とする基礎杭用テンプレート。
【請求項２】
請求項１に記載の基礎杭用テンプレートであって、
前記ガイド形状部の位置を変更可能に構成されている
ことを特徴とする基礎杭用テンプレート。
【請求項３】
請求項１又は２に記載の基礎杭用テンプレートであって、
前記ガイド部は、
前記ガイド形状部が形成された複数のガイドコマ部材を、
備えていることを特徴とする基礎杭用テンプレート。
【請求項４】
請求項１〜３のいずれか一項に記載の基礎杭用テンプレートであって、
前記ガイドホルダ部には、前記ガイド部を装着する複数のガイド装着部が形成され、
前記ガイド部を装着する前記ガイド装着部を選択することにより前記ガイド形状部の位置を変更可能に構成されている
ことを特徴とする基礎杭用テンプレート。
【請求項５】
請求項１〜４のいずれか一項に記載の基礎杭用テンプレートであって、
前記ガイド部と前記ガイド装着部の少なくともいずれか一方に形成された装着凸部と、他方に形成された装着凹部と、を有するガイド部はめ込み手段を、
備え、
前記装着凸部を前記装着凹部に挿入することにより前記ガイド部が前記ガイドホルダ部に装着される
ことを特徴とする基礎杭用テンプレート。
【請求項６】
請求項１〜５のいずれか一項に記載の基礎杭用テンプレートであって、
前記ガイド形状部は、
前記基礎杭と対向する位置に配置されたねじ部材に形成されている
ことを特徴とする基礎杭用テンプレート。
【請求項７】
請求項１〜６のいずれか一項に記載の基礎杭用テンプレートであって、
前記ガイド部を、前記基礎杭設置位置と対応させて前記テンプレート本体に保持させる取付部材を、
備えることを特徴とする基礎杭用テンプレート。
【請求項８】
請求項７に記載の基礎杭用テンプレートであって、
前記取付部材は、
ねじ部材により構成されている
ことを特徴とする基礎杭用テンプレート。
【請求項９】
請求項７に記載の基礎杭用テンプレートであって、
前記取付部材は、
クランプ部材により構成されている
ことを特徴とする基礎杭用テンプレート。
【請求項１０】
請求項１〜９のいずれか一項に記載の基礎杭用テンプレートであって、
前記ガイド部によって設置する前記基礎杭の直径をａとし、隣接する前記ガイド部により設置する前記基礎杭の軸間距離をｂとした場合に、
（ｂ／ａ）が、２．５以上かつ２５以下に設定されている
ことを特徴とする基礎杭用テンプレート。
【請求項１１】
請求項１〜９のいずれか一項に記載の基礎杭用テンプレートを用いて基礎杭を設置する基礎杭設置方法であって、
海面上において、前記テンプレート本体に前記ガイド部を装着するガイド部装着工程と、
前記基礎杭用テンプレートを海底に設置するテンプレート設置工程と、
設置した前記基礎杭用テンプレートに案内させて海底の地盤に前記基礎杭を設置する基礎杭設置工程と、
前記基礎杭設置工程が完了した後に、海底において前記ガイド部を取り外するガイド部取り外し工程と、
海底から前記基礎杭用テンプレートを引き上げるテンプレート引き上げ工程と、
を備えることを特徴とする基礎杭設置方法。
【請求項１２】
請求項１１に記載の基礎杭設置方法であって、
前記ガイド部装着工程において、
前記テンプレート本体が複数のガイド装着部を有し、複数のガイド装着部のうち選択した前記ガイド装着部に前記ガイド部を装着する
ことを特徴とする基礎杭設置方法。
【発明の詳細な説明】
【技術分野】
【０００１】
本発明は、海底の地盤に複数の基礎杭を設置するために用いる基礎杭用テンプレート、基礎杭設置方法に関する。
【背景技術】
【０００２】
周知のように、例えば、洋上風力発電用設備等を建設するためには、海底の地盤に基礎杭を設置することが一般的である。
そこで、基礎杭設置用テンプレートを用いて、海底地盤に基礎杭を効率的に設置するための技術が開示されている（例えば、特許文献１参照。）。
【０００３】
また、基礎杭の設置に際しては、建築物の規模に応じて複数の基礎杭を設置（打設）する場合があり、このような場合、複数の基礎杭設置位置の互いに対応させて正確かつ効率的に基礎杭を設置する必要がある。
そこで、設定した基礎杭設置位置に複数の基礎杭を正確に設置（打設）することを目的に、既に設置した基礎杭を基準に順次基礎杭を打設してゆく基礎杭設置技術や基礎杭設置用部材が開示されている（例えば、特許文献２参照。）。
【０００４】
しかしながら、特許文献２に記載の基礎杭設置技術は、既に打たれた２本の基礎杭を基準にして、３本目以降の杭を順次設置する技術であり、基準となる２本の基礎杭が正確に設置されていることが前提である。
したがって、まず２本の基礎杭を互いの相対的位置を維持して基礎杭設置位置に正確に設置することが必要であり、海底において、互いの相対的位置を維持したうえでそれぞれの基礎杭を正確に設置することは容易ではない。
【０００５】
さらに、上記基礎杭設置技術では、基礎杭を設置するごとに、基準となる基礎杭を順次変えて基礎杭設置用部材を移動させてゆく必要があるため、作業工程が煩雑であり、基礎杭設置作業を効率的に実施することはあまり期待できない。
そもそも、特許文献２に記載の基礎杭設置用部材で海底に基礎杭を打設する場合には、基準となる基礎杭への取り付から基礎杭の設置が完了するまで、あらゆる作業を海中又は海底で行う必要があり海底への基礎杭設置には適していない。
特に、水深が深い海底では、このように、基礎杭設置用部材を順次移動させながら効率的に基礎杭設置作業を実施することは非常に困難である。
【０００６】
また、海底に基礎杭用テンプレートを配置し、そのガイド部に基礎杭を挿通して打設する基礎杭設置方法が知られているが、基礎杭が地盤に対して完全に垂直（鉛直方向）に打設されるとは限らず、若干の傾きが生じる場合がある。
例えば、基礎杭が海底の地盤内において下方に向かうにしたがって互いの間隔が大きくなる（すなわち、カタカナの「ハ」の字状に設置されている場合）と、基礎杭用テンプレートを上方に引き上げる際に、基礎杭用テンプレートのガイド部が設置された基礎杭と干渉して引き上げができなくなる場合がある。
【０００７】
一方、特許文献２に記載の基礎杭設置用部材は、設置する基礎杭は１本であり、打設した基礎杭が傾いて「ハ」の字状になることはなく、「ハ」の字状に打設された基礎杭と干渉することなく、基礎杭設置部材を回収することは想定もされていない。したがって、特許文献２に記載の基礎杭設置用部材に複数のガイド部を設置したとしても、海底に複数の基礎杭を設置した後に、基礎杭と干渉することなく、海底から基礎杭設置部材を引き上げ、回収することは困難であるし、基礎杭とともに基礎杭設置部材を残留させる場合には、基礎杭から引き上げる必要もない。
【０００８】
特許文献２のような技術を考慮したうえで、基準となる基礎杭の設置を必要とせず、海底において、一回の施工（テンプレートを配置してから引き合上げて回収するまで）で、互いの相対的位置を維持して複数の基礎杭を効率的かつ正確に設置することができ、仮に基礎杭に傾き等が生じた場合においても容易かつ効率的に基礎杭設置用テンプレートを海底から引き揚げて、回収したいとの要望がある。
【０００９】
そこで、基礎杭用テンプレートのガイド部に、油圧機構等の駆動手段と連結されたガイドプレート等を設けて、基礎杭用テンプレートを引き上げる際に、駆動手段によってガイドプレートを基礎杭から後退させて基礎杭との間隙を拡大することが可能な基礎杭用テンプレートを用いて基礎杭と干渉を防止する場合がある。
【先行技術文献】
【特許文献】
【００１０】
【特許文献１】特開２０１６−２０４８６３号公報
【特許文献２】特開２０１５−１５１８４８号公報
【発明の概要】
【発明が解決しようとする課題】
【００１１】
しかしながら、ガイド部を進退させるために油圧機構等の駆動手段を設けると、基礎杭用テンプレートの製造コストが増加するうえに、メンテナンス費用が増大してしまう。
また、駆動手段を設けることで、基礎杭用テンプレートが大型化して重量が増大することから、基礎杭用テンプレートの取扱い性が低下して、設置する際の費用が増加する可能性がある。
【００１２】
さらに、例えば、油圧機構が海底で故障した場合には、油圧機構を海底で修理した後でないと基礎杭用テンプレートを引き上げできなくなる可能性が生じて、海底における修理コストの発生や、修理作業における安全確保や工期に不測の遅れが生じる虞が生じる等、基礎杭設置作業の全般にわたって影響を及ぼす可能性がある。
そこで、構造が簡単で故障することが抑制され、費用の増大を抑制しつつ基礎杭が海底地盤に垂直に打設されていない場合であっても、基礎杭と干渉することなく効率的に引き上げることが可能な基礎杭用テンプレートが望まれる。
【００１３】
本発明は、このような事情を考慮してなされたものであり、海底の地盤に設置された基礎杭と干渉することなく、効率的に引き上げることが可能な基礎杭用テンプレート、基礎杭設置方法を提供することを目的とする。
【課題を解決するための手段】
【００１４】
上記課題を解決するために、この発明は以下の手段を提案している。
請求項１に記載の発明は、海底の地盤に複数の基礎杭を設置するために用いる基礎杭用テンプレートであって、基礎杭をあらかじめ設定した基礎杭設置位置に案内するガイド形状部が形成された複数のガイド部と、平面視したときに、複数の前記ガイド部の相対位置を前記基礎杭設置位置と対応させて保持するテンプレート本体と、を備え、前記ガイド部は、前記テンプレート本体に対して着脱可能に構成され、前記テンプレート本体は、前記基礎杭設置位置と対応して配置され前記ガイド部を装着するガイド装着部が形成された複数のガイドホルダ部と、複数の前記ガイドホルダ部を保持する連結部材と、を備えていることを特徴とする。
【００１５】
この発明に係る基礎杭用テンプレートによれば、基礎杭を基礎杭設置位置に案内するガイド形状部が形成された複数のガイド部と、平面視したときに、複数のガイド部の相対位置を基礎杭設置位置と対応させて保持するテンプレート本体と、を備えていて、ガイド部がテンプレート本体に対して着脱可能に構成されているので、基礎杭を設置した後に、ガイド部をテンプレート本体から取り外すことが可能である。言い換えると、テンプレート本体を海底から引き揚げる前に、（海底において）テンプレート本体からガイド部を取り外すことができる。
このような構成により、基礎杭用テンプレートは、ガイド部をテンプレート本体に取り付けた場合には、ガイド形状部が基礎杭を基礎杭設置位置に案内することが可能となり、ガイド部をテンプレート本体から取り外すことにより、テンプレート本体と基礎杭との間隙を大きく確保することができる。
その結果、基礎杭が傾いて、平面視したときに、基礎杭相互の間隔がガイド部の間隔と異なって設置された場合であっても、ガイド部を取り外すことにより、テンプレート本体と基礎杭との間隔を拡げて、テンプレート本体と基礎杭とが干渉することなく、基礎杭の設置に用いた基礎杭用テンプレート（テンプレート本体）を効率的に引き上げる（基礎杭から取り外す）ことができる。
また、テンプレート本体が、基礎杭設置位置と対応するガイド部を装着するためのガイド装着部が形成された複数のガイドホルダ部と、複数のガイドホルダ部を保持する連結部材と、を備えているので、ガイドホルダ部にガイド部を装着することにより、ガイド部をテンプレート本体に効率的に装着することができ、ガイド部を、基礎杭設置位置に対して高い精度で配置することができる。
【００１６】
ここで、ガイド形状部とは、基礎杭が基礎杭設置位置に案内されるように、基礎杭（外周面や下端の周縁部等）と直接対向して基礎杭が近すぎた場合に当接して、基礎杭が基礎杭設置位置に対して位置ずれしないようにする部分（形状部）をいい、ガイド形状部の形態については任意に設定することができる。
また、例えば、ガイド部の数、配置は、基礎杭設置位置の数等に応じて任意に設定することが可能である。
また、ガイド形状部の配置についても、基礎杭設置位置や基礎杭の大きさ等に応じて任意に設定することが可能である。
また、設置される基礎杭をガイド形状部に向かっておおまかに案内する部分を「案内部」という場合があるものとする。
【００１７】
また、ガイド部の形態は任意に設定することが可能であり、ガイド部は、一体に形成された構成とされてもよいし、分割可能な複数の部材を組み合わせることにより構成されてもよい。
また、それぞれのガイド部材がすべて同じ構成とされていてもよいし、いずれかのガイド部が他のガイド部と異なる構成とされてもよい。
また、ガイド部は、設置した基礎杭から引き上げることが可能な範囲で、一部のガイド部（例えば、１つ）をテンプレート本体に固定して、残りのガイド部をテンプレート本体に着脱可能に構成してもよい。すなわち、海底から引き揚げる際に取り外しが必要でないガイド部については、例えば、固定式にして着脱可能にしなくてもよい。また、状況に応じて、ガイド部を、取り付けたままにして回収し、あるいは、基礎杭から後退（例えば、スライドにより）させることにより、取り外さずに回収してもよい。
【００１８】
請求項２に記載の発明は、請求項１に記載の基礎杭用テンプレートであって、前記ガイド形状部の位置を変更可能に構成されていることを特徴とする。
【００１９】
この発明に係る基礎杭用テンプレートによれば、ガイド形状部の位置を変更可能に構成されているので、例えば、基礎杭設置位置が異なる場合であっても、同一の基礎杭設置用テンプレートを用いて基礎杭を設置することができる。
【００２０】
ここで、ガイド形状部の位置の変更は、ガイド形状部の位置を調整する場合、ガイド部を取り替える場合等、任意に設定することができる。
【００２３】
請求項３に記載の発明は、請求項１又は２に記載の基礎杭用テンプレートであって、前記ガイド部は、前記ガイド形状部が形成された複数のガイドコマ部材を、備えていることを特徴とする。
【００２４】
この発明に係る基礎杭用テンプレートによれば、ガイド部は、ガイド形状部が形成された複数のガイドコマ部材を備えている。その結果、ガイドコマ部材は、ガイド部よりも軽量となり、取扱い性を向上することができる。また、ガイドコマ部材の配置等を変更することで、ガイド形状部の位置、ひいては基礎杭設置位置（基礎杭設置位置の相互の配置）等や設置する基礎杭の大きさを効率的に変更することが可能となる。
【００２５】
請求項４に記載の発明は、請求項１〜３のいずれか一項に記載の基礎杭用テンプレートであって、前記ガイドホルダ部には、前記ガイド部を装着する複数のガイド装着部が形成され、前記ガイド部を装着する前記ガイド装着部を選択することにより前記ガイド形状部の位置を変更可能に構成されていることを特徴とする。
【００２６】
この発明に係る基礎杭用テンプレートによれば、ガイドホルダ部に、ガイド部を装着する複数のガイド装着部が形成されているので、ガイド部を装着するガイド装着部を選択することにより、ガイド形状部の位置、ひいては基礎杭設置位置の配置を効率的に変更することができる。
【００２７】
ここで、ガイド部が、複数のガイドコマ部材を備えている場合には、選択するガイド装着部をそれぞれのガイドコマ部材ごとに設定することにより、設置する基礎杭の大きさを任意に設定することができる。
【００２８】
請求項５に記載の発明は、請求項１〜４のいずれか一項に記載の基礎杭用テンプレートであって、前記ガイド部と前記ガイド装着部の少なくともいずれか一方に形成された装着凸部と、他方に形成された装着凹部と、を有するガイド部はめ込み手段を、備え、前記装着凸部を前記装着凹部に挿入することにより前記ガイド部が前記ガイドホルダ部に装着されることを特徴とする。
【００２９】
この発明に係る基礎杭用テンプレートによれば、ガイド部とガイド装着部の少なくともいずれか一方に形成された装着凸部と、他方に形成された装着凹部と、を有するガイド部はめ込み手段を、備えていて、装着凸部を装着凹部に挿入することによりガイド部がガイドホルダ部に装着されるので、ガイドホルダに対してガイド部を容易かつ効率的に装着することができる。
【００３０】
ここで、ガイド部とガイド装着部の少なくともいずれか一方に装着凸部が形成されているとは、ガイド部（ガイドコマ部材）とガイド装着部の一方に装着凸部が形成されて、ガイド装着部とガイド部（ガイドコマ部材）の他方に装着凹部が形成されていてもよいし、ガイド部（ガイドコマ部材）とガイド装着部の双方に装着凸部が形成されて、他方の装着凸部と対応する位置に装着凹部が形成された構成とされていてもよい。
【００３１】
請求項６に記載の発明は、請求項１〜５のいずれか一項に記載の基礎杭用テンプレートであって、前記ガイド形状部は、前記基礎杭と対向する位置に配置されたねじ部材に形成されていることを特徴とする。
【００３２】
この発明に係る基礎杭用テンプレートによれば、ガイド形状部が、基礎杭と対向する位置に配置されたねじ部材に形成されているので、ねじ部を進退させることにより、先端部の位置を移動させて、ガイド形状部の位置を変更又は調整することができる。
その結果、基礎杭設置位置を効率的に変更又は調整することができる。
【００３３】
請求項７に記載の発明は、請求項１〜６のいずれか一項に記載の基礎杭用テンプレートであって、前記ガイド部を、前記基礎杭設置位置と対応させて前記テンプレート本体に保持させる取付部材を、備えることを特徴とする。
【００３４】
この発明に係る基礎杭用テンプレートによれば、ガイド部を、取付部材によってガイド部材をテンプレート本体に保持させる位置を変更又は調整することにより、ガイド部を基礎杭設置位置と対応する位置に取り付けることが可能となる。
【００３５】
請求項８に記載の発明は、請求項７に記載の基礎杭用テンプレートであって、前記取付部材は、ねじ部材により構成されていることを特徴とする。
【００３６】
この発明に係る基礎杭用テンプレートによれば、取付部材が、ねじ部材により構成されているので軸方向に進退させて、ガイド部材をテンプレート本体に保持させる位置を効率的に変更又は調整することができる。
【００３７】
請求項９に記載の発明は、請求項７に記載の基礎杭用テンプレートであって、前記取付部材は、クランプ部材により構成されていることを特徴とする。
【００３８】
この発明に係る基礎杭用テンプレートによれば、クランプ部材により構成されているので、テンプレート本体におけるガイドを保持させる位置を容易かつ効率的に変更又は調整することができる。
【００３９】
請求項１０に記載の発明は、請求項１〜９のいずれか一項に記載の基礎杭用テンプレートであって、前記ガイド部によって設置する前記基礎杭の直径をａとし、隣接する前記ガイド部により設置する前記基礎杭の軸間距離をｂとした場合に、（ｂ／ａ）が、２．５以上かつ２５以下に設定されていることを特徴とする。
【００４０】
この発明に係る基礎杭用テンプレートによれば、(隣接するガイド部により設置する基礎杭の軸間距離ｂ／基礎杭の直径ａ）が、２．５以上に設定されているので、設置した基礎杭が群杭として作用するのを抑制して、それぞれの基礎杭に充分な支持力を持たせることができる。
また、(隣接するガイド部により設置する基礎杭の軸間距離ｂ／基礎杭の直径ａ）が、２５以下に設定されているので、ジャケット本体の剛性確保のための補強を少なくして、ジャケット本体のコストが上昇するのを抑制することができる。
なお、基礎杭の直径ａは、例えば、１．０ｍ以上５．０ｍ以下とすることが効果を発揮させるうえで好適である。
【００４１】
請求項１１に記載の発明は、請求項１〜９のいずれか一項に記載の基礎杭用テンプレートを用いて基礎杭を設置する基礎杭設置方法であって、海面上において、前記テンプレート本体に前記ガイド部を装着するガイド部装着工程と、前記基礎杭用テンプレートを海底に設置するテンプレート設置工程と、設置した前記基礎杭用テンプレートに案内させて海底の地盤に前記基礎杭を設置する基礎杭設置工程と、前記基礎杭設置工程が完了した後に、海底において前記ガイド部を取り外するガイド部取り外し工程と、海底から前記基礎杭用テンプレートを引き上げるテンプレート引き上げ工程と、を備えることを特徴とする。
【００４２】
この発明に係る基礎杭設置方法によれば、海面上において、テンプレート本体にガイド部を装着するガイド部装着工程と、基礎杭用テンプレートを海底に設置するテンプレート設置工程と、設置した基礎杭用テンプレートに案内させて海底の地盤に基礎杭を設置する基礎杭設置工程と、基礎杭設置工程が完了した後に、海底においてガイド部を取り外するガイド部取り外し工程と、海底から基礎杭用テンプレートを引き上げるテンプレート引き上げ工程と、を備えている。
すなわち、ガイド部が装着された基礎杭用テンプレートを基礎杭設置位置に応じて海底に設置し、基礎杭用テンプレートを用いて基礎杭を設置するので、基礎杭を基礎杭設置位置に正確かつ効率的に設置することができる。
また、テンプレート引き上げ工程において、基礎杭用テンプレートを海底から引き上げる前に、ガイド部をテンプレート本体から取り外すので、テンプレート本体と基礎杭との間隙を大きく確保することができ、平面視したときに、基礎杭相互の間隔がガイド部の間隔に対して異なっている場合であっても、基礎杭と干渉することなく、基礎杭用テンプレート（テンプレート本体）を引き上げることができる。
【００４３】
請求項１２に記載の発明は、請求項１１に記載の基礎杭設置方法であって、前記ガイド部装着工程において、前記テンプレート本体が複数のガイド装着部を有し、複数のガイド装着部のうち選択した前記ガイド装着部に前記ガイド部を装着することを特徴とする。
【００４４】
この発明に係る基礎杭設置方法によれば、ガイド部装着工程において、テンプレート本体の複数のガイド装着部のうち選択したガイド装着部にガイド部を装着するので、ガイド部を効率的に装着することができる。
【発明の効果】
【００４５】
本発明に係る基礎杭用テンプレート、基礎杭設置方法によれば、設置された基礎杭と干渉することなく、基礎杭用テンプレートを海底から効率的に引き上げることができる。
【図面の簡単な説明】
【００４６】
【図１】本発明の第１実施形態に係る基礎杭用テンプレートの概略構成を説明する平面図である。
【図２】第１実施形態に係る基礎杭用テンプレートの概略構成を説明する側面から見た図である。
【図３】第１実施形態に係る基礎杭用テンプレートを説明するガイド部の詳細を説明する図１に矢視ＩＩＩで示す部分平面図である。
【図４】第１実施形態に係る基礎杭用テンプレートにおけるガイド形状部の概略を説明する概念図である。
【図５】第１実施形態に係る基礎杭用テンプレートを説明するガイド部を説明する図３に矢視Ｖ−Ｖで示す概略構成図である。
【図６Ａ】第１実施形態に係る基礎杭用テンプレートを説明するガイド部を説明する図３に矢視ＶＩＡ−ＶＩＡで示す概略構成図である。
【図６Ｂ】第１実施形態に係る基礎杭用テンプレートを説明するガイド部を説明する図３に矢視ＶＩＢ−ＶＩＢで示す概略構成図である。
【図７】第１実施形態に係る基礎杭用テンプレートのガイドホルダの概略構成を説明する平面図である。
【図８】第１実施形態に係る基礎杭用テンプレートのガイドホルダの概略構成を説明する図７に矢視ＶＩＩＩ−ＶＩＩＩで示す図である。
【図９】第１実施形態に係る基礎杭用テンプレートのガイドホルダの概略構成を説明する図７に矢視ＩＸ−ＩＸで示す図である。
【図１０】第１実施形態に係る基礎杭用テンプレートのガイドコマ部材の概略構成を説明する図であり、（Ａ）は側面から見た図を、（Ｂ）は（Ａ）に矢視ＸＢ−ＸＢで示す図である。
【図１１】第１実施形態に係るテンプレート本体に対するガイドコマ部材の装着を説明する正面から見た概念図であり、（Ａ）はガイドコマ部材を装着する状態を、（Ｂ）はガイドコマ部材が装着された状態を示している。
【図１２】第１実施形態に係るテンプレート本体に対するガイドコマ部材の装着を説明する側面から見た概念図であり、（Ａ）はガイドコマ部材を装着する状態を、（Ｂ）はガイドコマ部材が装着された状態を示している。
【図１３】第１実施形態に係る基礎杭用テンプレートを用いた基礎杭の設置を説明する概念図であり、（Ａ）はテンプレートを海底に設置して基礎杭を打設する状態を、（Ｂ）はテンプレートを用いて基礎杭の設置を完了した状態を、（Ｃ）はテンプレートを基礎杭から引き上げる状態を示している。
【図１４】第１実施形態に係る基礎杭用テンプレートの作用を説明する概念図であり、（Ａ）はガイドコマ部材が装着された状態を、（Ｂ）はガイドコマ部材を取り除いてテンプレートを引き上げる状態を示している。
【図１５】本発明の第２実施形態に係る基礎杭用テンプレートの概略構成を説明する図であり、（Ａ）は平面図を、（Ｂ）は側面図を示している。
【図１６】第２実施形態に係る基礎杭用テンプレートのガイド部の概略構成を説明する平面図である。
【図１７】第２実施形態に係る基礎杭用テンプレートのガイド部の概略構成を説明する側面から見た概念図である。
【図１８】第２実施形態に係る基礎杭用テンプレートのガイド部材の装着（取付け）の詳細を説明する側面から見た図である。
【図１９】第２実施形態に係る基礎杭用テンプレートの作用の概略を説明する側面から見た図である。
【図２０】本発明の第３実施形態に係る基礎杭用テンプレートのガイド部の概略構成を説明する平面図である。
【図２１】第３実施形態に係る基礎杭用テンプレートのガイド部の概略を説明する側面から見た縦断面図である。
【図２２】第３実施形態に係る基礎杭用テンプレートにおいてガイド部材を固定するクランプ部材（取付部材）を説明する概略構成図である。
【図２３】本発明の第４実施形態に係る基礎杭用テンプレートの概略構成を説明する側面から見た図である。
【図２４】第４実施形態に係る基礎杭用テンプレートのガイド部の概略構成を説明する平面図である。
【発明を実施するための形態】
【００４７】
＜第１実施形態＞
以下、図１〜図１２を参照して、本発明の第１実施形態に係る基礎杭用テンプレートについて説明する。
図１〜図３は、第１実施形態に係る基礎杭用テンプレートの概略構成を説明する図であり、図１は平面図であり、図２は側面図であり、図３はガイド部の詳細を説明する図１に矢視ＩＩＩで示す部分平面図である。また、図４は、基礎杭用テンプレートにおけるガイド形状部の概略を説明する概念図である。なお、以下の図面において、説明の便宜のため、各構成要素の厚さや寸法の比率を適宜調整する場合がある。
【００４８】
図１〜図１２において、符号１００は基礎杭用テンプレートを、符号１１０はテンプレート本体を、符号１１１は連結部材を、符号１２０はガイドホルダを、符号１４０はガイド部材（ガイド部）を、符号１５０はガイドコマ部材を、符号１５０Ｓはガイド形状部を示している。また、符号Ｏは、基礎杭用テンプレートを平面視したときの中心を示している。また、符号Ｏ１はガイド部に配置された基礎杭の中心軸（軸線）を示している。
また、ガイド部材、ガイドコマ部材、ガイド装着部を基礎杭側から見たときの左右を、左側、右側又は横方向と称して、左側を符号Ｌにより、右側を符号Ｒにより示す場合がある。
また、ガイド部材、ガイドコマ部材、ガイド装着部を側面から見たときの基礎杭側を前方側、基礎杭とは反対側を後方側、又これらを総称して前後方向と称し、前方側を符号Ａにより、後方側を符号Ｂにより示す場合がある。
【００４９】
基礎杭用テンプレート１００は、図１〜図３に示すように、例えば、テンプレート本体１１０と、テンプレート本体１１０に配置された４つ（複数）のガイド部材（ガイド部）１４０と、を備えている。
そして、基礎杭用テンプレート１００は、例えば、風力発電用設備等の基礎構造をなす複数の基礎杭Ｓを海底の地盤に設置（打設）するために用いられる。
【００５０】
この実施形態において、テンプレート本体１１０は、図１に示すように、例えば、短辺が互いに平行に対向配置された二対の短辺対と、長辺が互いに平行に対向配置された二対の長辺対と、を備え、二対の短辺対と二対の長辺対が交互に配置されて、４つの短辺と４つの長辺が交互に接続された平面視したときの外形形状が略八角形に形成されている。
【００５１】
テンプレート本体１１０は、図１、図２に示すように、例えば、ガイド部材（ガイド部）１４０を装着するための４つ（複数）のガイドホルダ１２０と、ガイドホルダ１２０の互いの相対位置を保持する連結部材１１１と、を備えている。
テンプレート本体１１０は、平面視したときに、外形形状が基礎杭用テンプレート１００と同様に形成されている。
【００５２】
それぞれのガイドホルダ１２０は、図３に示すように、例えば、ガイドホルダ枠体１２１と、ガイド部材（ガイド部）１４０を装着するための第１ガイド部材装着部（ガイド部装着部）１２２と、第２ガイド部材装着部（ガイド部装着部）１２８と、を備えている。
また、第１ガイド部材装着部（ガイド部装着部）１２２、第２ガイド部材装着部（ガイド部装着部）１２８は、ガイドホルダ枠体１２１内に配置されている。
【００５３】
図１において、符号ａは、基礎杭の直径（外径）であり、符号ｂは、隣接するガイドホルダ１２０の第１ガイド部材装着部１２２に装着されたガイド部材（ガイド部）１４０に配置された基礎杭Ｓの軸間距離、いいかえると、隣接するガイドホルダ１２０において、それぞれの第１ガイド部材装着部１２２に装着された基礎杭Ｓの中心軸（軸線）と基礎杭Ｓの中心軸（軸線）の間隔の寸法を示している。
なお、図１に示したのは、第１ガイド部材装着部１２２にガイド部材（ガイド部）１４０を配置した例であるが、第２ガイド部材装着部１２８に装着したガイド部材（ガイド部）１４０に基礎杭Ｓを配置する場合も同様である。
【００５４】
ここで、ガイド部によって設置する基礎杭の直径ａ、隣接するガイド部により設置する基礎杭の軸間距離ｂ、及び（隣接するガイド部により設置する基礎杭の軸間距離ｂ／ガイド部によって設置する基礎杭の直径ａ）にいついては任意に設定することが可能である。
【００５５】
この実施形態では、例えば、隣接するガイドホルダ１２０の第１ガイド部材装着部１２２及び第２ガイド部材装着部１２８に装着したガイド部材（ガイド部）１４０に配置された２本の基礎杭Ｓは、（隣接するガイド部により設置する基礎杭の軸間距離ｂ／ガイド部によって設置する基礎杭の直径ａ）が２．５以上、２５．０以下に設定されている。
また、基礎杭Ｓの直径ａは１．０ｍ以上５．０ｍ以下の場合に効果が発揮される点で好適である。
【００５６】
ガイドホルダ枠体１２１は、平面視したときに、外形形状が略正方形に形成された枠本体構造物と、枠本体構造物の内方に必要に応じて形成されたベース構造部（不図示）と、を備えている。
そして、枠本体構造物の外面には、連結部材１１１が連結されている。
【００５７】
そして、ガイドホルダ１２０は、図４に示すように、ガイド部材（ガイド部）１４０を装着することにより、ガイド形状部１５０Ｓが基礎杭Ｓの外周面と対向して、基礎杭用テンプレート１００に挿入される基礎杭Ｓを基礎杭設置位置に案内することが可能に構成されている。
なお、基礎杭Ｓとガイド形状部１５０Ｓの間隔（間隙）Ｌ０は、基礎杭設置位置の交差や用途に応じて任意に設定することが可能であるが、この実施形態では、ガイド形状部１５０Ｓと基礎杭Ｓの間隔Ｌ０は、最も小さい（ガイド形状部１５０Ｓの下端部）でＬ０＝２０ｍｍに設定されている。
【００５８】
ここで、ガイド形状部１５０Ｓは、基礎杭用テンプレート１００によって基礎杭を設置する際に、基礎杭（外周面又は下端の周縁部を含む）Ｓと直接対向することにより、基礎杭Ｓが近すぎた場合に基礎杭Ｓと当接して、基礎杭Ｓを所定の基礎杭設置位置に案内する部分（形状部）である。
なお、ガイドホルダ１２０の詳細構成については、後述する。
【００５９】
４つのガイドホルダ１２０は、図１に示すように、例えば、テンプレート本体１１０を平面視したときに、テンプレート本体１１０の内方に位置されている。
また、４つのガイドホルダ１２０は、テンプレート本体１１０の中心Ｏを挟んで互いに直交する位置（テンプレート本体１１０の中心Ｏとする「十」字の端部）に、互いの辺が平行になるように配置されている。
また、ガイドホルダ１２０の辺は、テンプレート本体１１０の外形形状がなす略八角形の短辺を構成する。
【００６０】
連結部材１１１の構成は、４つ（複数）のガイドホルダ１２０の相対的な位置を保持可能な範囲で任意に設定することが可能であるが、この実施形態では、図１、図２に示すように、例えば、外側連結部材１１２と、内側連結部材１１３と、上下方向連結部材１１４と、第１補強連結部材１１５と、第２補強連結部材１１６と、を備えている。
そして、連結部材１１１は、隣接するガイドホルダ１２０の外面同士及び連結部材１１１同士を連結する。
【００６１】
また、この実施形態において、連結部材１１１は、例えば、鋼管や型鋼（例えば、Ｈ形鋼）により形成されている。
また、連結部材１１１における連結は、任意に設定することが可能であるが、この実施形態では、例えば、溶接により形成されている。
なお、連結部材１１１における連結として、例えば、ボルト等の締結部材や他のジョイント部材を用いてもよい。
【００６２】
外側連結部材１１２は、図１に示すように、例えば、隣接するガイドホルダ１２０が構成する正方形の外側の角部（頂部）同士を連結するとともに、テンプレート本体１１０の外形形状がなす八角形の長辺を構成している。
また、外側連結部材１１２は、図２に示すように、ガイドホルダ１２０を上下２個所（複数個所）で連結している。
【００６３】
内側連結部材１１３は、例えば、隣接するガイドホルダ１２０がなす正方形のテンプレート本体１１０の内方に位置される角部同士を、外側連結部材１１２と平行に連結するとともに、テンプレート本体１１０の内方側に、外形形状の八角形と略相似形の八角形を形成する構成とされている。
また、内側連結部材１１３は、図示していないが、外側連結部材１１２と同様に、ガイドホルダ１２０を２個所（複数個所）で上下方向に連結する。
【００６４】
上下方向連結部材１１４は、図２に示すように、上側に配置された外側連結部材１１２と、下側に配置された外側連結部材１１２とを連結して、上下の外側連結部材１１２の相対的な位置を保持する。また、図示していないが、同様に上下の内側連結部材１１３も連結している。
また、上側の外側連結部材１１２と下側の内側連結部材１１３、上側の内側連結部材１１３と下側の外側連結部材１１２を連結していることが好適である。
【００６５】
第１補強連結部材１１５は、図１に示すように、外側連結部材１１２と内側連結部材１１３とを連結して、外側連結部材１１２と内側連結部材１１３の相対的な位置関係を保持する構成とされている。
また、第１補強連結部材１１５は、外側連結部材１１２と内側連結部材１１３のそれぞれの軸方向における連結位置をずらして斜めに連結することにより、たすき掛けのように連結する構成としてもよい。
また、上側の外側連結部材１１２と下側の内側連結部材１１３、上側の内側連結部材１１３と下側の外側連結部材１１２を斜めに連結することにより、たすき掛けのように連結する構成としてもよい。
【００６６】
第２補強連結部材１１６は、図１に示すように、例えば、隣接配置された内側連結部材１１３の中央部同士を連結することで、内側連結部材１１３の相対的な位置及び姿勢を保持されるように補強する。
また、第２補強連結部材１１６は、例えば、上側の内側連結部材１１３の中央部と、隣接配置された下側の内側連結部材１１３の中央部とを連結してもよい。
【００６７】
ガイドホルダ１２０は、前述のように、ガイドホルダ枠体１２１内に配置される第１ガイド部材装着部（ガイド部装着部）１２２と、第２ガイド部材装着部（ガイド部装着部）１２８と、を備えていて、第１ガイド部材装着部（ガイド部装着部）１２２、第２ガイド部材装着部（ガイド部装着部）１２８は、ガイドホルダ枠体１２１内のベース構造部（不図示）から立設された構成とされている。
【００６８】
そして、ガイド部材１４０を、第１ガイド部材装着部１２２、第２ガイド部材装着部１２８のいずれに装着するかにより、基礎杭設置テンプレート１００によって設置する基礎杭設定位置を変更することが可能とされている。
【００６９】
具体的には、この実施形態では、後述するように、ガイド部材１４０は、例えば、４つ（複数）のガイドコマ部材１５０を備えており、この４つのガイドコマ部材１５０の装着位置を変更することにより、ガイド形状部１５０Ｓの位置が変更され、基礎杭用テンプレート１００によって設置する基礎杭設置位置が変更される。
【００７０】
第１ガイド部材装着部（ガイド部装着部）１２２は、図３に示すように、例えば、基礎杭用テンプレート１００の外方側（中心Ｏから遠い側）に位置される第１基礎杭設置位置（沖側設置位置）Ｐ１と対応して配置されている。
また、第１ガイド部材装着部１２２は、ガイドコマ部材１５０を装着するための４つのガイドコマ装着部１２３を備えている。
【００７１】
第２ガイド部材装着部１２８は、基礎杭用テンプレート１００の内方側（中心Ｏに近い側）に位置される第２基礎杭設置位置（岸側設置位置）Ｐ２と対応して配置されている。
また、第２ガイド部材装着部１２８は、ガイドコマ部材１５０を装着するための４つのガイドコマ装着部１２９を備えている。
【００７２】
ガイドコマ装着部１２３は、この実施形態では、図３に示すように、例えば、ガイドホルダ枠体１２１内に配置されていて、テンプレート本体１１０の外方側から内方側（中心Ｏ側）に向かって、第１基礎杭設置位置Ｐ１と対応して、基礎杭Ｓを挟んでそれぞれ２つずつ対向して配置されている。
また、ガイドコマ装着部１２９は、第２基礎杭設置位置Ｐ２と対応して、基礎杭Ｓを挟んでそれぞれ２つずつ対向して配置されている。
【００７３】
また、ガイドコマ装着部１２３、ガイドコマ装着部１２９は、図５、図７に示すように、テンプレート本体１１０の外方側から内方側（中心Ｏ側）（図５、図７に示す左側Ｌから右側Ｒ）に向かって、ガイドコマ装着部１２３、ガイドコマ装着部１２９、ガイドコマ装着部１２３、ガイドコマ装着部１２９の順に配置されている。なお、基礎杭Ｓを挟んで対向する位置のガイドコマ装着部１２３、ガイドコマ装着部１２９は、テンプレート本体１１０の外方側から内方側（中心Ｏ側）に向かう場合に、図５、図７に示す右側Ｒから左側Ｌとなる（以下、同様の場合がある。）。）
【００７４】
それぞれのガイドコマ装着部１２３、１２９は、図５、図６Ａ、図６Ｂ、図７に示すように、ガイドコマ部材１５０を装着するための装着凹部１２２Ｕを備えている。
また、ガイドコマ装着部１２３、１２９は、装着凹部１２２Ｕに対して前方側Ａ（基礎杭Ｓ側）に配置された前方側支持壁部１２４と、ガイドコマ部材１５０の後方側Ｂに配置された後方側支持壁部１２５と、ガイドコマ部材１５０の横方向（左右ＬＲ方向）に沿って配置されたサイド支持壁部１２６と、を備えている。
【００７５】
前方側支持壁部１２４は、図６Ａ、図６Ｂ、図７、図９に示すように、前方側Ａ（基礎杭Ｓ側）に配置され、例えば、ガイドホルダ１２０のベース構造部（不図示）から上方に向かって立設されている。
そして、前方側支持壁部１２４は、装着凹部１２２Ｕに挿入されたガイドコマ部材１５０の前方側Ａを支持する。
また、前方側支持壁部１２４は、基礎杭Ｓ側の面に、ガイドコマ部材１５０を安定して保持するための傾斜部１２４Ｔが形成されている。
前方側支持壁部１２４の構成は任意に設定することが可能であるが、例えば、型鋼（Ｈ形鋼）等を組み合わせて構成されている。
【００７６】
後方側支持壁部１２５は、図６Ａ、図６Ｂ、図７、図９に示すように、ガイドコマ部材１５０を挿入する装着凹部１２２Ｕの後方側Ｂ（基礎杭Ｓとは反対側）に配置されていて、例えば、ガイドホルダ１２０のベース構造部（不図示）から上方に向かって立設されている。
そして、後方側支持壁部１２５は、装着凹部１２２Ｕに挿入されたガイドコマ部材１５０の後方側Ｂを支持する
後方側支持壁部１２５の構成は任意に設定することが可能であるが、例えば、型鋼（Ｈ形鋼）等を組み合わせて構成されている。
【００７７】
サイド支持壁部１２６は、図７、図８に示すように、ガイドコマ装着部１２３、１２９の装着凹部１２２Ｕの間に配置されていて、例えば、ガイドホルダ１２０のベース構造部（不図示）から上方に向かって立設されている。
そして、サイド支持壁部１２６は、装着凹部１２２Ｕに挿入されたガイドコマ部材１５０の横方向を支持する。
【００７８】
また、サイド支持壁部１２６は、図５、図７、図８に示すように、例えば、一つのサイド支持壁部１２６Ａと、それぞれ二つのサイド支持壁部１２６Ｂ、１２６Ｃを備えていて、テンプレート本体１１０の外方側から内方側（図７、図８に示す左側Ｌから右側Ｒ）に向かって、サイド支持壁部１２６Ｂ、サイド支持壁部１２６Ｃ、サイド支持壁部１２６Ａ、サイド支持壁部１２６Ｃ、サイド支持壁部１２６Ｂの順に配置されている。
なお、サイド支持壁部１２６の構成は任意に設定することが可能であるが、例えば、型鋼（Ｈ形鋼）等を組み合わせて構成されている。
【００７９】
サイド支持壁部１２６Ａは、例えば、ガイドホルダ１２０の左右ＬＲ方向における中央部に配置されている。
また、サイド支持壁部１２６Ａは、この実施形態において、左側Ｌと右側Ｒの肩部に傾斜部１２６Ｔが形成されている。
【００８０】
サイド支持壁部１２６Ｂは、例えば、ガイドホルダ１２０の左右方向における両側の橋部に配置されている。
また、サイド支持壁部１２６Ｂは、この実施形態において、装着凹部１２２Ｕが形成される側方部にガイド傾斜部１２６Ｔが形成されている。
【００８１】
サイド支持壁部１２６Ｃは、例えば、左右方向におけるサイド支持壁部１２６Ａとサイド支持壁部１２６Ｂ間に配置されている。
また、サイド支持壁部１２６Ｃは、この実施形態において、両方の肩部にガイド傾斜部１２６Ｔが形成されている。
【００８２】
また、サイド支持壁部１２６Ｃは、ガイドコマ装着部１２３と、ガイドコマ装着部１２９の装着間隔と対応していて、第１ガイド装着部１２２と第２ガイド装着部１２８の装着間隔に基づいて設定されている。
言い換えると、サイド支持壁部１２６Ｃの左右方向寸法は、第１基礎杭設置位置Ｐ１と第２基礎杭設置位置Ｐ２の設置間隔に基づいて設定されている。
【００８３】
次に、図１０を参照して、ガイドコマ部材について説明する。
図１０は、ガイドコマ部材の概略構成を説明する図であり、図１０（Ａ）はガイドコマ部材を側面から見た図であり、図１０（Ｂ）は図１０（Ａ）に矢視ＸＢ−ＸＢで示したガイドコマ部材の断面図である。
【００８４】
ガイドコマ部材１５０は、図１０（Ａ）に示すように、例えば、ベース部１５１と、位置決めコマ部（装着凸部）１５２と、基礎杭ガイド部１５３と、ガイド支持部１５６と、を備え、基礎杭ガイド部１５３の前方側Ｂにはガイド形状部１５０Ｓが形成されている。
そして、位置決めコマ部（装着凸部）１５２を、ガイドコマ装着部１２３（１２９）の挿入凹部１２２Ｕに挿入することにより、ガイドホルダ１２０に装着することができる。
なお、ガイドコマホルダ１２０にガイドコマ部材１５０を装着した後は、例えば、ボルト（ねじ部材）等の取付部材（不図示）を用いて固定することが好適である。
また、取付部材に代えて、例えば、ガイドコマ部材１５０を溶接等で固定し、ガイドコマ部材１５０を取り外す際に溶接部分を切断、除去してもよい。
【００８５】
ベース部１５１は、例えば、平面視外形形状が略矩形の前後方向に延在する部材とされている。また、ベース部１５１は、図１０に示すように、位置決めコマ部（装着凸部）１５２、基礎杭ガイド部１５３、ガイド支持部１５６と接続されている。
また、ベース部１５１は、前後方向の長さが、ガイドコマ装着部１２３（１２９）の前方側支持壁部１２４の上面１２４Ｆ及び後方側支持壁部１２５の上面１２５Ｆに載置可能な寸法に形成されている（図６Ａ、図６Ｂ参照）。
【００８６】
そして、ベース部１５１は、下面１５１Ｆが前方側支持壁部１２４の上面１２４Ｆ及び後方側支持壁部１２５の上面１２５Ｆと当接することにより、ガイドコマ部材１５０が上下方向に位置決めされ、ガイドコマ部材１５０を所定の上下方向位置（高さ）に設定可能とされている。
また、ベース部１５１は、幅（左右方向寸法）が、隣接するサイド支持壁部１２６、１２６の間隔よりもわずかに小さく形成されている。
【００８７】
位置決めコマ部（装着凸部）１５２は、例えば、ベース部１５１の下面１５１Ｆに接続され下方に向かって延在している。
また、位置決めコマ部（装着凸部）１５２は、前方側支持壁部１２４と対向する側の面に、下方に向かうにしたがって前方側支持壁部１２４から離間して傾斜するテーパ部１５２Ｔが形成されている。
また、位置決めコマ部（装着凸部）１５２は、横方向寸法が、隣接するサイド支持壁部１２６、１２６の間隔（装着凹部１２２Ｕの幅）よりもわずかに小さく形成されている。
【００８８】
基礎杭ガイド部１５３は、例えば、ベース部１５１の前方側Ａに固定された下部ガイド部１５４と、下部ガイド部１５４の上端部に接続され上方に向かって延在する上部ガイド部１５５と、を備えている。
また、基礎杭ガイド部１５３は、図１０（Ｂ）に示すように、基礎杭ガイド部１５３の後方側Ｂを構成する後方側部材１５３Ａと、後方側部材１５３Ａの前方側Ａに接続され基礎杭と対向する前方側部材１５３Ｂと、を備えている。
また、下部ガイド部１５４、上部ガイド部１５５は、それぞれ後方側部材１５３Ａ及び前方側部材１５３Ｂを備えている。
【００８９】
後方側部材１５３Ａは、図１０（Ｂ）に示すように、例えば、長手方向（矢視ＸＢ−ＸＢ）に沿って見たときの断面が、前方側Ａと後方側Ｂの端部が左右ＬＲ方向に突出する略矩形形状に形成されている。
【００９０】
前方側部材１５３Ｂは、図１０（Ｂ）に示すように、例えば、長手方向に沿って見たときの断面が、丸鋼管を中心軸を含むように長手方向に沿って分割された略半円形の円弧形状とされている。
また、前方側部材１５３Ｂの円弧状の外周面は、下部ガイド部１５４の全長にわたってガイドコマ部材１５０のガイド形状部１５０Ｓを構成している。
【００９１】
下部ガイド部１５４は、上方に向かうにしたがって後方側Ｂに傾斜している。
すなわち、下部ガイド部１５４は、上方に向かにしたがって基礎杭（不図示）との間隔が拡大するように形成されている。
下部ガイド部１５４の傾斜は、後方側部材１５３Ａの後方側Ｂの面が前方側支持壁部１２４の傾斜部１２４Ｔと相補的に設定されている。
また、下部ガイド部１５４の前方側部材１５３Ｂの前方側Ａの外周面はガイド形状部１５０Ｓとされている。
【００９２】
このような構成により、４つの下部ガイド部１５４に挟まれた基礎杭（不図示）は、下方に移動されるにしたがって、ガイド形状部１５０Ｓとの間隔が縮小して、基礎杭設置位置に正確に案内される。
なお、図１０（Ａ）に示すように、図４で示したガイド形状部１５０Ｓと基礎杭Ｓとの間隔Ｌ０は、ガイドコマ部材１５０の下端部におけるガイド形状部１５０Ｓと基礎杭Ｓの間隔である。
【００９３】
上部ガイド部（案内部）１５５は、図１０に示すように、下部ガイド部１５４の上端部に接続されている。
また、上部ガイド部（案内部）１５５は、上方に向かうにしたがって、下部ガイド部１５４よりも後方側Ｂに大きく傾斜している。
そして、上部ガイド部（案内部）１５５は、基礎杭（不図示）を下方に移動させて設置する際に、基礎杭Ｓを下部ガイド部１５４の前面Ａに形成されたガイド形状部１５０Ｓに向かっておおまかに案内するための案内部である。
【００９４】
ガイド支持部１５６は、例えば、下部がベース部１５１の上面に接続されていて、上部が上部ガイド部１５５の後方側部材１５３Ａの後方側Ｂの面に接続されていて、基礎杭ガイド部１５３を後方側Ｂから支持する。
【００９５】
以下、図１１、図１２を参照して、テンプレート本体に対するガイドコマ部材の装着について説明する。
図１１は、テンプレート本体に対するガイドコマ部材の装着を説明する正面から見た概念図であり、図１１（Ａ）はガイドコマ部材を装着する状態を、図１１（Ｂ）はガイドコマ部材が装着された状態を示している。また、図１２は、テンプレート本体に対するガイドコマ部材の装着を説明する側面から見た概念図であり、図１２（Ａ）はガイドコマ部材を装着する状態を、図１２（Ｂ）はガイドコマ部材が装着された状態を示している。
なお、図１１、図１２は、テンプレート本体１１０の外方から中心Ｏ側に向かって見たときに、基礎杭Ｓを挟んで左側に位置されるガイドコマ部材装着部１２３、１２９を図示したものである。
【００９６】
ガイド部材（ガイド部）１４０をテンプレート本体１１０に装着する際には、例えば、基礎杭を設置する基礎杭設置位置（この実施形態では、第１基礎杭設置位置Ｐ１又は第２基礎杭設置位置Ｐ２）と対応するガイド部材装着部（ガイド部装着部）１２２、１２８を選択して、ガイド部材（ガイド部）１４０を装着する。
具体的には、第１基礎杭設置位置Ｐ１と対応させる場合には、ガイド部材装着部（ガイド部装着部）１２２を構成する４つのガイドコマ装着部１２３にガイドコマ部材１５０を装着し、第２基礎杭設置位置Ｐ２と対応させる場合には、ガイド部材装着部１２８を構成する４つのガイドコマ装着部１２９にガイドコマ部材１５０を装着する。
【００９７】
例えば、第１基礎杭設置位置Ｐ１と対応させる場合には、図１１、図１２に示すように、４つのガイドコマ装着部１２３に、それぞれガイドコマ部材１５０を装着する。
ガイドコマ装着部１２３にガイドコマ部材１５０を装着する場合は、図１１（Ａ）、図１２（Ａ）に示すように、ガイドコマ部材１５０を上方からまっすぐ下降させてガイドコマ装着部１２３に挿入する。
【００９８】
なお、ガイドコマ部材１５０を、ガイドコマ装着部１２３、又はガイドコマ装着部１２９に装着する際には、４つのガイドコマ部材１５０を個別に装着してもよいし、４つのガイドコマ部材１５０を予め一つに連結しておいて、連結した４つのガイドコマ部材１５０を一度に挿入してもよい。
【００９９】
ガイドコマ部材１５０を下降させる際には、ガイドコマ部材１５０の左右ＬＲ方向の位置が、サイドガイド１２６のガイドテーパ１２６Ｔによって、ガイドコマ挿入部１２３に案内される。
また、ガイドコマ部材１５０は、位置決めコマ部（装着凸部）１５２がガイドコマ装着部１２３の装着凹部１２２Ｕに挿入されることで、前後方向及び左右方向の位置が設定される。
このとき、位置決めコマ部（装着凸部）１５２は、案内テーパ部１５２Ｔによって前後方向の位置が挿入凹部１２２Ｕに案内される。
【０１００】
そして、ガイドコマ部材１５０がガイドコマ挿入部１２３に着座すると、ガイドコマ部材１５０のベース部１５１の下面１５１Ｆと、前方側支持壁部１２４の上面１２４Ｆ及び後方側支持壁部１２５の上面１２５Ｆが当接して、ガイドコマ部材１５０は所定の上下方向位置（高さ）に設定される。
【０１０１】
以下、図１１〜図１４を参照して、基礎杭用テンプレート１００を用いた基礎杭の設置（基礎杭設置方法）について説明する。
【０１０２】
図１３は、基礎杭用テンプレートを用いた基礎杭の設置を説明する概念図であり、図１３（Ａ）はテンプレートを海底に設置して基礎杭を打設する状態を、図１３（Ｂ）はテンプレートを用いて基礎杭の設置を完了した状態を、図１３（Ｃ）はテンプレートを基礎杭から引き上げる状態を示している。また、図１４は、基礎杭用テンプレートの作用を説明する概念図であり、図１４（Ａ）はガイドコマ部材が装着された状態を、図１４（Ｂ）はガイドコマ部材を取り除いてテンプレートを引き上げる状態を示している。
【０１０３】
基礎杭設置方法は、例えば、ガイド部装着工程（Ｓ１）と、テンプレート設置工程（Ｓ２）と、基礎杭設置工程（Ｓ３）と、ガイド部取り外し工程（Ｓ４）と、テンプレート引き上げ工程（Ｓ５）と、を備えている。
【０１０４】
（１）ガイド部装着工程（Ｓ１）
まず、ガイド部装着工程において、例えば、台船上（海面上）において、テンプレート本体１１０のガイドホルダ１２０に、ガイド部材１４０を装着して、基礎杭設置位置と対応する基礎杭用テンプレート１００を組み立てる。
【０１０５】
ガイドホルダ１２０へのガイド部材１４０の装着は、図１１、図１２に示したように、例えば、テンプレート本体１１０の基礎杭設置位置Ｐ１と対応する第１ガイド部材装着部１２２に、ガイド部材（ガイド部）１４０を装着する。より具体的には、ガイドコマ部材装着部１２３に、ガイドコマ部材１５０を装着する。
また、装着したガイドコマ部材１５０は、例えば、ボルト等の締結部材（取付部材、不図示）を用いてガイドホルダ１２０に固定することが好適である。
【０１０６】
（２）テンプレート設置工程（Ｓ２）
次に、ガイド部装着工程で準備した基礎杭用テンプレート１００を、台船に設けられたクレーン等を用いて海底地盤Ｇに設置する。
基礎杭用テンプレート１００を設置する際には、例えば、海底でダイバーが基礎杭用テンプレート１００を所定の基礎杭設置位置に案内しながら設置する。
【０１０７】
（３）基礎杭設置工程（Ｓ３）
次いで、図１３（Ａ）に示すように、台船クレーンで吊り下げた基礎杭Ｓを基礎杭用テンプレート１００を用いて、順次基礎杭設置位置に設置（打設）する。
基礎杭設置工程は、周知の方法を適用することが可能であり、例えば、バイブロハンマーを用いて基礎杭用テンプレート１００に基礎杭Ｓを建込み、油圧ハンマー打ち止め等を行って、基礎杭を打設する。
基礎杭Ｓの設置が完了すると、図１３（Ｂ）に示すように、基礎杭Ｓが基礎杭用テンプレート１００内に収容された状態、言い換えると、ガイドコマ部材１５０で挟まれた状態で設置される。
【０１０８】
（４）ガイド部取り外し工程（Ｓ４）
基礎杭設置工程における基礎杭Ｓの打設が完了したら、海面下において、図１３（Ｂ）で示した基礎杭Ｓが収容された基礎杭用テンプレート１００から、ガイド部材（ガイド部材１４０を取り外す。具体的には、ガイドコマ部材１５０をガイドコマホルダ１２０から取り外す。
ガイドコマ部材１５０を取り外すことで、テンプレート本体１１０のガイドホルダ１２０と設置した基礎杭Ｓと間に、テンプレート本体１１０を引き上げる際に互いが干渉しないための間隔を確保する。
ガイドコマ部材１５０の取り外しは、図１１、図１２で示した順序と逆の順序で実施する。
【０１０９】
（５）テンプレート引き上げ工程（Ｓ４）
ガイド部取り外し工程において、基礎杭用テンプレート１００と基礎杭Ｓの間に間隔を確保したら、例えば、図１３（Ｃ）に示すように、台船上のクレーン等を用いてテンプレート本体１１０を海底から引き上げる。
【０１１０】
基礎杭用テンプレート１００を引き上げる際に、図１４（Ａ）に示すように、基礎杭テンプレート本体１１０にガイド部材（ガイド部）１４０が装着れたままでは、基礎杭Ｓが傾いて設置されていると、ガイド部材（ガイド部）１４０が基礎杭Ｓと干渉して、基礎杭用テンプレート１００を引き上げられない場合がある。
基礎杭Ｓの相互の位置関係が、カタカナの「ハ」の字状に設置されている場合は、特に、基礎杭用テンプレート１００の引き上げが困難である。
【０１１１】
一方、図１４（Ｂ）に示すように、基礎杭用テンプレート１００からガイドコマ部材１５０が取り除かれていると、基礎杭Ｓとテンプレート本体１１０（具体的には、ガイドホルダ１２０）との間に適度な間隙が形成され、基礎杭Ｓが傾むいて設置されていても、基礎杭用テンプレート１００を容易に引き上げることができる。
【０１１２】
第１実施形態に係る基礎杭用テンプレート１００によれば、ガイド部材（ガイド部）１４０が、テンプレート本体１１０に対して着脱可能に構成されているので、基礎杭Ｓを設置した後に、ガイド部材（ガイド部）１４０を、テンプレート本体１１０（基礎杭用テンプレート１００）から取り外すことができる。
したがって、ガイド部材（ガイド部）１４０をテンプレート本体１１０に取り付けた場合には、ガイド形状部１５０Ｓが基礎杭Ｓを基礎杭設置位置に案内することができ、ガイド部材（ガイド部）１４０をテンプレート本体１１０から取り外した場合には、テンプレート本体１１０と基礎杭Ｓとの間隙を大きく確保することができる。
その結果、例えば、基礎杭Ｓが傾いて設置されていても、テンプレート本体１１０と基礎杭Ｓとが干渉することなく、基礎杭用テンプレート１００（テンプレート本体１１０）を引き上げることができる。
【０１１３】
また、基礎杭用テンプレート１００によれば、ガイド形状部１５０Ｓの位置を変更可能に構成されているので、ひとつの基礎杭設置用テンプレート１００を用いて複数の基礎杭設置位置Ｐ１、Ｐ２に対応することができる。
【０１１４】
また、基礎杭用テンプレート１００によれば、テンプレート本体１１０が、基礎杭設置位置Ｐ１、Ｐ２と対応して、ガイド装着部１２２、１２８が形成されたガイドホルダ部１２０を備えているので、基礎杭設置位置Ｐ１、Ｐ２と対応する基礎杭設置用テンプレート１００を効率的に構成することができる。
また、ガイド部材（ガイド部）１４０を装着するガイド装着部１２２、１２８を選択することにより、ガイド形状部１５０Ｓの位置、ひいては基礎杭設置位置の配置を効率的に変更することができる。
【０１１５】
また、基礎杭用テンプレート１００によれば、ガイド部材（ガイド部）１４０は、ガイド形状部１５０Ｓが形成された複数のガイドコマ部材１５０を備えているので、ガイド部材（ガイド部）１４０の取扱い性を向上することができる。
また、ガイドコマ部材１５０の配置等を変更することで、ガイド形状部１５０Ｓの位置、ひいては、基礎杭設置位置（基礎杭設置位置の相互の配置）等や、例えば、設置する基礎杭Ｓの大きさ（外径）を効率的に変更することができる。
【０１１６】
また、基礎杭用テンプレート１００によれば、(隣接するガイド部により設置する基礎杭の軸間距離ｂ／基礎杭の直径ａ）が２．５以上に設定されているので、設置した基礎杭Ｓが群杭として作用するのが抑制され、基礎杭Ｓの直径の増大や基礎杭Ｓの長さを増大させることなく、それぞれの基礎杭に充分な支持力を持たせることができる。その結果、コストが増大するのを抑制することができる。
また、上記(ｂ／ａ）が２５．０以下に設定されているので、ジャケット本体の剛性確保のための補強を少なくして、ジャケット本体のコストが上昇するのを抑制することができる。
【０１１７】
また、基礎杭用テンプレート１００によれば、ガイド部材（ガイド部）１４０に形成された位置決めコマ部（凸部）１５２と、ガイドコマ装着部１２３、１２９に形成された装着凹部１２２Ｕとを有するガイド部はめ込み手段を備えているので、ガイドホルダ１２０に対してガイド部材（ガイド部）１４０を容易かつ効率的に装着することができる。
【０１１８】
また、第１実施形態に係る基礎杭設置方法によれば、ガイド部装着工程において、海面上において、テンプレート本体１１０にガイド部材（ガイド部）１４０を装着するので、基礎杭設置用テンプレート１００を容易かつ効率的に組み立てることができる。
また、テンプレート設置工程（Ｓ２）において、基礎杭用テンプレート１００を海底地盤Ｇに設置し、基礎杭設置工程（Ｓ３）において、基礎杭用テンプレート１００に案内させて海底地盤Ｇに基礎杭Ｓを設置するので、基礎杭設置用テンプレート１００を用いて、基礎杭Ｓを効率的に基礎杭設置位置に設置（打設）することができる。
【０１１９】
また、第１実施形態に係る基礎杭設置方法によれば、ガイド部取り外し工程において、海底においてガイド部材（ガイド部）１４０を基礎杭設置用テンプレート１００から取り外すので、基礎杭Ｓと干渉することなく、基礎杭用テンプレート１００を海底Ｇから引き上げることができ、テンプレート引き上げ工程において、基礎杭用テンプレート１００が基礎杭Ｓと干渉することに起因する不意の工期延長が生じるのを防止することができる。
【０１２０】
また、第１実施形態に係る基礎杭設置方法によれば、ガイド部装着工程において、テンプレート本体１１００の複数のガイド装着部１２２、１２８のうち、基礎杭設置位置Ｐ１、Ｐ２に応じて選択したガイド装着部１２２、１２８にガイド部材（ガイド部）１４０を装着するので、ガイド部材（ガイド部）１４０を効率的に装着することができる。特に、ガイドコマ部材１５０を用いることにで、より効率的に着脱することができる。
【０１２１】
＜第２実施形態＞
以下、図１５〜図１９を参照して、本発明の第２実施形態について説明する。
図１５は、本発明の第２実施形態に係る基礎杭用テンプレートの概略構成を説明する図であり、図１５（Ａ）は平面図を、図１５（Ｂ）は側面図を示している。また、図１６は、基礎杭用テンプレートのガイド部の概略構成を説明する平面図であり、図１７はガイド部を側面から見た概念図であり、図１８はガイド部の詳細を説明する側面から見た図である。また、図１９は礎杭用テンプレートのガイド部の作用を説明する側面から見た図である。
【０１２２】
図１５〜図１９において、符号２００は基礎杭用テンプレートを、符号２１０はテンプレート本体を、符号２１１は連結部材を、符号２２０はガイドホルダを、符号２４０はガイド部材（ガイド部）を、符符号２４０Ｓはガイド形状部を示している。また、符号Ｏは、基礎杭用テンプレートを平面視したときの中心を示している。
【０１２３】
基礎杭用テンプレート２００は、図１５、図１６に示すように、例えば、テンプレート本体２１０と、テンプレート本体２１０に配置された４つ（複数）のガイド部材（ガイド部）２４０と、を備えている。
【０１２４】
テンプレート本体２１０は、図１５に示すように、例えば、４つ（複数）のガイドホルダ２２０と、４つのガイドホルダ２２０を連結する連結部材２１１と、を備えている。
【０１２５】
連結部材２１１の構成は、４つ（複数）のガイドホルダ１２０の相対的な位置を保持可能な範囲で任意に設定することが可能であるが、この実施形態では、図１１５に示すように、例えば、外側連結部材２１２と、対角連結部材２１３と、内側連結部材２１４と、コーナ補強部材２１５と、上下連結部材（不図示）と、を備えている。
そして、連結部材２１１は、隣接するガイドホルダ２２０の外面同士及び連結部材２１１同士を連結する。
【０１２６】
外側連結部材２１２は、図１５に示すように、例えば、隣接するガイドホルダ２２０の外面同士を連結し、ガイドホルダ２２０を上下２段で連結する。また、テンプレート本体２１０を平面視したときの外形形状を構成する。
【０１２７】
対角連結部材２１３は、図１５に示すように、テンプレート本体２１０において、互いに対角に配置されたガイドホルダ４２０の角部同士を連結する。
【０１２８】
内側連結部材２１４は、平面視正方形に連結されていて、例えば、テンプレート本体２１０内において、互いに交差する対角連結部材２１３の交差部を囲むように、対角連結部材２１３を連結する。
【０１２９】
コーナ補強部材２１５は、図１５に示すように、テンプレート本体２１０の内方に起きて、その角部近傍に配置され、それぞれ外側連結部材２１２と対角連結部材２１３とを連結していて、平面視して正方形に形成されている。
【０１３０】
ガイドホルダ２２０は、図１６、図１７に示すように、平面視したときに略正方形に形成されたガイドホルダ本体２２１と、ストッパ部材２２３と、ガイド部材装着部２２５と、ガイド部材取付ねじ（取付部材）２２６と、を備えている。
【０１３１】
ガイドホルダ本体２２１は、例えば、直線状の長尺に形成された４つの断面矩形状部材２２２を備え、４つの断面矩形状部材２２２を平面視正方形に配置して、隣接する端部同士を溶接により連結して構成されている。
また、ガイドホルダ本体２２１は、例えば、上面２２１Ｆが平坦な面に形成されている。
【０１３２】
ストッパ部材２２３は、例えば、直方体の鋼製（金属製）ブロックにより形成されている。
また、ストッパ部材２２３は、ガイドホルダ本体２２１を構成するそれぞれの断面矩形状部材２２２の後方側Ｂ（外側）の面の長手方向（横方向）における中央部に配置されている。
そして、ストッパ部材２２３は、上端部が上面２２１Ｆよりも上方まで延在した構成とされている。
【０１３３】
また、ストッパ部材２２３には、図１６、図１７に示すように、例えば、後方側Ｂ（ガイドホルダ本体２２１における外方側）のフランジ部と前方側Ａのフランジ部にそれぞれを貫通し同芯に形成された４つの貫通穴２２３Ｈが形成されている。具体的には、貫通穴２２３Ｈは、例えば、それぞれのストッパ部材２２３に、横方向（左右方向）に２つ、上下方向に２段に配置されている。
また、それぞれのストッパ部材２２３の前方側Ａの面には、貫通孔２２３Ｈの周囲にナット２２３Ｔが取付られている。
【０１３４】
ガイド部材装着部２２５は、この実施形態において、例えば、ガイドホルダ本体２２１の平坦な上面２２１Ｆと、ストッパ部材２２３で規制されたガイドホルダ２２０の内方側に位置された領域により構成されている。
【０１３５】
ガイド部材取付ねじ（取付部材）２２６は、例えば、雄ネジからなる取付ねじ本体２２６Ａと、取付ねじ本体２２６Ａに螺合されるふたつのナット（ダブルナット）からなるナット部材２２６Ｂと、を備えている。
【０１３６】
また、ナット部材２２６Ｂを緩めることにより、取付ねじ本体２２６Ａを回転させて、取付ねじ本体２２６Ａを進退させることが可能とされている。
そして、取付ねじ本体２２６Ａを後退させると、ガイドホルダ２２０からガイド部材２４０を取り外すことが可能とされ、取付ねじ本体２２６Ａを前進させると、ガイド部材２４０をガイド部材装着部２２５に装着（載置した状態で取り付け）することが可能とされている。
【０１３７】
ガイド部材（ガイド部）２４０は、図１６、図１７に示すように、例えば、ガイド部材装着部２２５に装着（載置）可能なベース部２４１と、ベース部２４１の上端部に形成されたガイドプレート２４２と、を備えている。
【０１３８】
ベース部２４１は、図１７〜図１９に示すように、例えば、ガイド装着部２５より少し小さい長さ及び幅（前後ＡＢ方向寸法）に形成され、ガイド装着部２５に装着（載置）可能に構成されている。
【０１３９】
ベース部２４１は、例えば、下面２４１Ｆが平坦に形成されていて、ガイド部材装着部２２５の上で、スムースに摺動して移動することが可能とされている。
【０１４０】
ガイドプレート２４２は、ベース部２４１の長手方向の中央部に配置され、上方に延在して形成されている。
なお、ガイドプレート２４２の幅（左右方向寸法）は任意に設定することが可能であり、ベース部２４１の中央部を含んでその左右両側に延在していてもよい。
また、ガイドプレート２４２は、上方に向かうにしたがって後方側Ｂに延在して形成されている。
【０１４１】
ガイド形状部２４０Ｓは、この実施形態において、図１７〜図１９に示すように、ベース部２４１の前方側Ａに配置された板状部材の前方側Ａの面に形成されている。
また、ガイドプレート２４２の前方側Ａの面には、基礎杭をガイド形状部２４０Ｓにおおまかに案内する案内部２４０Ｇが形成されている。
【０１４２】
ガイド部材２４０を装着する場合は、図１８に示すように、ガイドホルダ２２０のガイド装着部２５０に、ガイド部材２４０を載置して、ガイド部材取付ねじ（取付部材）２２６により、ガイド部材２４０を四方の後方側Ｂから押圧、固定する。
【０１４３】
基礎杭用テンプレート２００によれば、ガイド部材取付ねじ（取付部材）２２６を緩めることにより、ガイドホルダ２２０からガイド部材（ガイド部）２４０を取り外すことができる。
その結果、例えば、ガイドホルダ２２０と基礎杭Ｓとが干渉するのを防止して、基礎杭用テンプレート２００（テンプレート本体２１０）を引き上げることができる。
【０１４４】
また、基礎杭用テンプレート２００によれば、取付部材がガイド部材取付ねじ２２６により構成されているので、ガイド部材２４０を容易かつ効率的に着脱することができる。
【０１４５】
なお、基礎杭用テンプレート２００を構成する４つ（複数）のガイド部のうち、海底から引き揚げる際に取り外しが必要でないガイド部については、必ずしも着脱可能としなくてもよい。例えば、鉛直方向に対する基礎杭の傾きを考慮した場合に、取り外さなくても確実に基礎杭設置用テンプレート２００を引き上げられるガイド部については、テンプレート本体２１０に固定していてもよいし、基礎杭設置後の状況に応じて、ガイド部を取り付けたまま引き上げ可能な場合には、ガイド部材２４０を取り付けたまま基礎杭設置用テンプレート２００を引き上げてもよい。
【０１４６】
また、例えば、ガイド部材取付ねじ（取付部材）２２６を緩めて、ガイド部材２４０に後方側Ｂに、ガイド部材２４０に移動可能なスペースを確保することにより、ガイド部材２４０が基礎杭に生じた傾きに沿って後退（例えば、スライドすることにより）して基礎杭Ｓから引き上げられる場合には、ガイド部材取付ねじ（取付部材）２２６を緩めて、ガイド部材２４０については取り外さずに基礎杭用テンプレート２００を引き上げてもよい。
このように、必要に応じてガイド部材２４０を取り外すことにより、効率的な基礎杭設置工事を行うことが可能となり、しかも海底（海中）における作業を大幅に削減、効率化することが可能になる。
【０１４７】
＜第３実施形態＞
以下、図２０〜図２２を参照して、本発明の第３実施形態について説明する。
図２０は、第３実施形態に係る基礎杭用テンプレートのガイド部の概略構成を説明する平面図であり、図２１は、基礎杭用テンプレートのガイド部の概略を説明する側面から見た縦断面図である。また、図２２は、基礎杭用テンプレートにおいてガイド部材を固定するクランプ部材（取付部材）を説明する概略構成図である。
【０１４８】
図２０〜図２２において、符号３００は基礎杭用テンプレートを、符号３１０はテンプレート本体を、符号３２０はガイドホルダを示している。また、符号３６０は、クランプ部材（取付部材）を示している。
【０１４９】
基礎杭用テンプレート３００は、図２０、図２１に示すように、例えば、テンプレート本体３１０と、テンプレート本体３１０に装着（配置）された４つ（複数）のガイド部材（ガイド部）２４０と、クランプ部材（取付部材）３６０と、を備えている。
ガイド部材（ガイド部）２４０は、第２実施形態と同様であるので、同じ符号を付して説明を省略する。
【０１５０】
テンプレート本体３１０は、図２０、図２１に示すように、例えば、４つ（複数）のガイドホルダ３２０と、４つ（複数）のガイドホルダ３２０を連結する連結部材（不図示）と、を備えている。テンプレート本体３１０は、第２実施形態に係るテンプレート本体２１０におけるガイドホルダ２２０、取付ボルト（取付部材）２２６に代えて、ガイドホルダ３２０、クランプ部材（取付部材）３６０を備えている。
その他は、テンプレート本体２１０と同様であるので、第２実施形態と同じ符号を付して説明を省略する。
【０１５１】
ガイドホルダ３２０は、図２０、図２１に示すように、平面視したときに略正方形に形成されたガイドホルダ本体２２１と、ストッパ部材２２３と、ガイド部材装着部２２５と、を備えている。
第２実施形態におけるガイド部材取付ねじ（取付部材）２２６を備えるかどうは任意に設定することが可能であるが、必須の鋼製ではなく、第３実施形態では、ガイド部材取付ねじ（取付部材）２２６を備えていない。  その他は、第２実施形態と同様であるので、第２実施形態と同じ符号を付して必要な構成のみ説明する。
【０１５２】
ガイドホルダ３２０は、前述のように、ガイドホルダ本体２２１を備え、ガイドホルダ本体２２１の上面２２１Ｆは、平坦な面に形成されている。
そして、ガイドホルダ本体２２１の平坦な上面２２１Ｆと、ストッパ部材２２３で規制されたガイドホルダ２２０の内方側の領域に、ガイド部材装着部２２５が形成されている。
また、ガイドホルダ本体２２１の上部には、フランジ部２２１Ａが形成されている。
また、前述のように、ガイド部材２４０のベース部２４１の下部には、フランジ部２４１Ａが形成されている。
【０１５３】
クランプ部材（取付部材）３６０は、図２２に示すように、例えば、クランプ部材本体３６１と、固定部３６６と、固定ねじ３６７と、を備えている。
【０１５４】
クランプ部材本体３６１は、例えば、互いに対向配置された支持壁部３６２、３６３と、支持壁部３６２の端部と支持壁部３６３の端部とを連結する連結壁部３６４と、を備えている。
【０１５５】
固定部３６６は、例えば、支持壁部３６２の支持壁部３６３と対向する面に配置され、支持壁部３６３に向かって突出している。
【０１５６】
固定ねじ３６７は、例えば、ボルト状部材からなり、支持壁部３６３に形成された支持壁部３６２側に向かって延在するねじ穴（雌ネジ）３６３Ｈに螺合されている。
そして、固定ねじ３６７は、頭部３６７Ｔを軸線周りに廻すことにより、ねじ穴３６３Ｈに沿って進退して、固定部３６６と協働して、固定ねじ３６７の先端部と固定部３６６によりガイドホルダ本体２２のフランジ部２２１Ａと、ガイド部材２４０のベース部２４１のフランジ部２４１Ａを挟んで固定する構成とされている。
【０１５７】
そして、固定ねじ３６７は、図２０、図２１に示すように、ガイドホルダ３２０にガイド部材（ガイド部）２４０を装着した状態で、ガイドホルダ３２０の上部フランジ部２２１Ａとガイド部材（ガイド部）２４０の下部フランジ部２４１Ａを挟んで固定する。
【０１５８】
基礎杭用テンプレート３００によれば、基礎杭を設置した後に、クランプ部材（取付部材）３６０を緩めて、ガイドホルダ３２０から、ガイド部材２４０を取り外すことができるので、ガイド部材２４０を容易かつ効率的に取り外すことができる。
その結果、基礎杭用テンプレート３００を効率的に引き上げることができる。
【０１５９】
また、基礎杭用テンプレート３００によれば、ガイド部材２４０を位置調整した後に、ガイドホルダ３２０に効率的に装着することができる。
したがって、ガイド装着部２５０上において、ガイド部材２４０の位置を容易かつ効率的に調整することができる。
【０１６０】
＜第４実施形態＞
以下、図２３、図２４を参照して、本発明の第４実施形態について説明する。
図２３は、第４実施形態に係る基礎杭用テンプレートの概略構成を説明する側面から見た図であり、図２４はガイド部の概略構成を説明する平面図である。
図２３、図２４において、符号４００は基礎杭用テンプレートを、符号４１０はテンプレート本体を、符号４１１は連結部材を、符号４２０はガイドホルダを、符号４４０はガイド部材（ガイド部）を、符号４５０Ｓはガイド形状部を示している。また、符号Ｏは、基礎杭用テンプレートを平面視したときの中心を示している。
【０１６１】
基礎杭用テンプレート４００は、図２３、図２４に示すように、例えば、テンプレート本体４１０と、テンプレート本体４１０に配置された複数のガイド部材（ガイド部）４４０と、を備えている。
基礎杭用テンプレート４００は、例えば、平面視したときに、外形形状が略正方形に形成されている。
【０１６２】
テンプレート本体４１０は、図２３、図２４に示すように、この実施形態において、例えば、４つ（複数）のガイドホルダ４２０と、隣接するガイドホルダ４２０を連結する連結部材４１１と、を備えている。
【０１６３】
連結部材４１１は、図２３に示すように、例えば、上下に二段に配列され隣接するガイドホルダ４２０を連結する第１連結部材４１２と、上下に配列された第１連結部材４１２を軸方向における異なる位置で斜めに連結する斜材を構成する第２連結部材４１３と、を備えている。
【０１６４】
ガイドホルダ４２０は、図２４に示すように、例えば、平面視して円筒状に形成されたガイドホルダ本体４２１と、ガイドホルダ本体４２１の上部に配置され上方が外方に向かって拡径されるガイドコーン４２２と、を備えている。
【０１６５】
また、ガイドホルダ４２０は、ガイドホルダ本体４２１の外周面から互いに直交する方向に向かって連結部材４１１が連結されている。
また、ガイドホルダ４２０には、外方から内方に向かって貫通するねじ穴（ガイド部材装着部）４２０Ｈが形成されている。
ねじ穴（ガイド部材装着部）４２０Ｈは、ガイドホルダ本体４２１にその中心Ｏ１の周りに９０°間隔に配置されている。
また、ねじ穴（ガイド部材装着部）４２０Ｈは、図２４に示すように、例えば、上下２段に配列されている。
【０１６６】
ガイド部材（ガイド部）４４０は、図２３、図２４に示すように、それぞれのガイドホルダ４２０に配置される８本のガイドボルト（ねじ部材、ガイド部材）４４１を備えている。
ガイドボルト（ねじ部材、ガイド部材）４４１は、ガイドホルダ４２０に形成されたねじ穴（ガイド部材装着部）４２０Ｈに螺合させて、ガイドホルダ４２０内のガイド穴４２０Ｇに対して進退され、ガイドボルト（ねじ部材）４４１の先端部に形成されたガイド形状部４４０Ｓと基礎杭（不図示）との間隔（間隙）を調整可能とされている。
【０１６７】
ガイドコーン４２２は、例えば、下方に向かうにしたがって縮径される略円錐形に形成されていて、内周面には円錐状傾斜部が形成されている。
そして、この傾斜部は、上方からガイドコーン４２２に基礎杭Ｓを挿入した場合に、下方に移動する基礎杭Ｓを、ガイド形状部４４０Ｓに向かっておおまかに案内する案内部４４０Ｇとされている。
【０１６８】
また、ガイドコーン４２２は、例えば、ガイドホルダ本体４２１よりも外径が大きく形成されたリング部材４２３を介してガイドホルダ本体４２１に連結されている。
なお、ガイドコーン４２２、リング部材４２３をガイド部材（ガイド部）４４０に対して着脱可能とするかどうかは任意に設定することができる。
【０１６９】
基礎杭用テンプレート４００によれば、ガイドボルト（ねじ部材）４４１を後退させ、又はガイドホルダ４２０から取り除くことで、設置した基礎杭との干渉を防止して、容易かつ効率的に礎杭用テンプレート４００を引き上げることができる。
【０１７０】
また、基礎杭用テンプレート４００によれば、ガイド形状部４４０Ｓが、ガイドボルト（ねじ部材）４４１の先端部に形成され、基礎杭と対向可能とされているので、ガイドボルト（ねじ部材）４４１を進退させることにより、ガイド形状部４４０Ｓの位置を変更又は調整することができる。
その結果、基礎杭設置位置を効率的に変更又は調整することができる。
【０１７１】
なお、本発明は、上記実施の形態に限定されるものではなく、発明の趣旨を逸脱しない範囲において、種々の変更をすることが可能である。
例えば、上記実施形態においては、基礎杭用テンプレート１００がガイド部材（ガイド部）１４０を装着する４つのガイドホルダ１２０を備えている場合について説明したが、ガイドホルダ１２０の数（言い換えると、ガイド部材１４０の数）は任意に設定することが可能であり、例えば、３つでもよいし、５つ以上の数に設定してもよい。
【０１７２】
また、上記実施形態においては、基礎杭用テンプレート１００が略正方形に設定された基礎杭設置位置と対応するガイド部材（ガイド部）１４０を備えた構成である場合について説明したが、対応する基礎杭設置位置の配置は任意に設定してもよい。例えば、正三角形や不等辺三角形、長方形や不等辺四角形（不等辺多角形）、五角形やそれ以上の多角形、十字形や碁盤の目状に配置された基礎杭設置位置に対応してガイド部材（ガイド部）が配置された構成としてもよい。
【０１７３】
また、上記実施形態においては、基礎杭用テンプレート１００がすべてのガイドホルダ部１２０に、同じ構成のガイド部材１４０（ガイドコマ部材１５０）を装着する場合について説明したが、基礎杭用テンプレートが複数種類のガイドホルダと、それに対応する複数種類のガイド部を備えていてもよい。具体的には、例えば、いずれかのガイドホルダ１２０が、他の構成のガイド部材（ガイドコマ部材）を装着する構成とされていてもよい。
【０１７４】
また、上記実施形態においては、すべてのガイドホルダ１２０が、ガイド部材（ガイド部）１４０を着脱可能とされている場合について説明したが、一部のガイド部材（ガイド部）がテンプレート本体に固定されて着脱しない構成とされていてもよい。
【０１７５】
また、上記実施形態においては、ガイド形状部１５０Ｓが形成されたガイドコマ部材１５０が着脱可能とされている場合について説明したが、ガイド部を構成するガイド形状部がテンプレート本体の側に形成された構成としてもよい。
【０１７６】
また、上記実施形態においては、基礎杭用テンプレート１００のガイドホルダ部１２０が、第１基礎杭設定位置Ｐ１と対応する第１ガイド部材装着部１２２と、第２基礎杭設定位置Ｐ２と対応する第２ガイド部材装着部１２３とを備えている場合について説明したが、例えば、３箇所以上の基礎杭設定位置と対応するガイド部材装着部を備えていてもよい。
【０１７７】
また、上記第２実施形態においては、それぞれのガイドホルダ２２０、２３０が一つの基礎杭設置位置に対応する場合について説明したが、例えば、これら実施形態において、ガイド部材（ガイド部）２４０を配置する位置を調整して、複数の基礎杭設置位置に対応可能な構成としてもよい。
例えば、上記第２実施形態において、ガイド部材取付ねじ（取付部材）２２６の進退量を調整することにより、取付部材としての機能に加えてガイド部材２４０の位置変更機能を備えた構成としてもよい。
【０１７８】
また、上記実施形態においては、はめ込み手段が、ガイドコマ部材１５０に形成された一つの位置決めコマ部（装着凸部）１５２と、ガイドコマ装着部１２３、１２９に形成された一つの挿入凹部１２２Ｕと、を備えている場合について説明したが、はめ込み手段を構成する装着凸部、装着凹部の数、構成については任意に設定することが可能である。例えば、複数の装着凹部が形成され、ガイドコマ装着部１２３、１２９に一つ又は複数の装着凸部が形成された構成とされてもよい。また、例えば、ガイドコマ部材１５０と、ガイドコマ装着部１２３、１２９に、それぞれ入り混じって互いに相補的に形成された複数の装着凸部及び装着凹部によりはめ込み手段が構成されてもよい。
【０１７９】
また、上記実施形態においては、ガイドコマ部材１５０が、ベース部１５１と、位置決めコマ部（凸部）１５２と、基礎杭ガイド部１５３と、ガイド支持部１５６と、を備えている場合について説明したが、ガイドコマ部材１５０の構成については任意に設定することが可能である。
【０１８０】
また、上記実施形態においては、基礎杭用テンプレート１００、２００、４００が、ガイド形状部１５０Ｓ、２４０Ｓ、４４０Ｓに向かって、基礎杭Ｓをおおまかに案内する案内部１５０Ｇ、２４０Ｇ、４４０Ｇを備えている場合について説明したが、案内部１５０Ｇ、２４０Ｇ、４４０Ｇを備えるかどうかについては任意に設定することが可能である。
【０１８１】
また、上記実施形態においては、ガイド部材の取付部材が、ガイド部材取付ねじ２２６やクランプ部材３６０である場合について説明したが、取付部材の構成については任意に設定することが可能である。
【０１８２】
また、上記実施形態においては、基礎杭テンプレート１００が、(隣接するガイド部により設置する基礎杭の軸間距離ｂ／基礎杭の直径ａ）が、２．５以上２５以下に設定されている場合について説明したが、上記（ｂ／ａ）については任意に設定することが可能である。例えば、上記（ｂ／ａ）が２．５未満に設定されていてもよいし、上記（ｂ／ａ）が２５.０より大きな数値に設定されていてもよい。また、基礎杭Ｓの直径（外径）についても任意に設定することが可能であり、例えば、直径が１.０ｍ未満の基礎杭Ｓに適用してもよいし、直径が５．０ｍよりも大きい基礎杭Ｓに適用してもよい。
また、上記事項は、基礎杭テンプレート２００、３００、４００についても同様である。
【０１８３】
以上、本発明の実施形態について図面を参照して詳述したが、具体的な構成はこの実施形態に限られるものではなく、本発明の要旨を逸脱しない範囲の構成の変更、組み合わせ、削除等も含まれる。
【符号の説明】
【０１８４】
Ｇ  海底
Ｓ  基礎杭
１００、２００、３００、４００  基礎杭テンプレート
１１０、２１０、３１０、４１０  テンプレート本体
１１１、２１１、４１１  連結部材
１２０、２２０、３２０、４２０  ガイドホルダ
１２２、１２３  ガイド部材装着部（ガイド部装着部）
１２２Ｕ  装着凹部
１４０、２４０  ガイド部材（ガイド部）
１５０  ガイドコマ部材
１５０Ｓ、２４０Ｓ、４４０Ｓ  ガイド形状部
１５０Ｇ、２４０Ｇ、４４０Ｇ  案内部
２２６  ガイド部材取付ねじ（取付部材）
３６０  クランプ部材（取付部材）
４４０  ガイド部材（ガイド部）
４４１  ガイドボルト（ねじ部材、ガイド部材）４４１
【要約】
【課題】海底の地盤に設置された基礎杭と干渉することなく、基礎杭から効率的に取り除くことが可能な基礎杭用テンプレート、基礎杭設置方法を提供すること。
【解決手段】海底の地盤に複数の基礎杭を設置するために用いる基礎杭用テンプレート１００であって、基礎杭をあらかじめ設定した基礎杭設置位置に案内するガイド形状部が形成された複数のガイド部材１４０と、平面視したときに、複数の前記ガイド部材１４０の相対位置を前記基礎杭設置位置と対応させて保持するテンプレート本体１１０と、を備え、前記ガイド部材１４０は、前記テンプレート本体１１０に対して着脱可能に構成されていることを特徴とする。
【選択図】図１【図１】
0006832467.tif 000002
【図２】
0006832467.tif 000003
【図３】
0006832467.tif 000004
【図４】
0006832467.tif 000005
【図５】
0006832467.tif 000006
【図６Ａ】
0006832467.tif 000007
【図６Ｂ】
0006832467.tif 000008
【図７】
0006832467.tif 000009
【図８】
0006832467.tif 000010
【図９】
0006832467.tif 000011
【図１０】
0006832467.tif 000012
【図１１】
0006832467.tif 000013
【図１２】
0006832467.tif 000014
【図１３】
0006832467.tif 000015
【図１４】
0006832467.tif 000016
【図１５】
0006832467.tif 000017
【図１６】
0006832467.tif 000018
【図１７】
0006832467.tif 000019
【図１８】
0006832467.tif 000020
【図１９】
0006832467.tif 000021
【図２０】
0006832467.tif 000022
【図２１】
0006832467.tif 000023
【図２２】
0006832467.tif 000024
【図２３】
0006832467.tif 000025
【図２４】
0006832467.tif 000026